(57)【要約】【課題】白色ＬＥＤパッケージを用いた発光装置において、演色性が高く、発光効率が高く、かつ黒体軌跡からの偏差の小さい５０００Ｋ以下の低色温度の発光装置を提供する。【解決手段】発光装置１００は、第１の青色の波長を主波長とする青色ＬＥＤ１１２と、青色ＬＥＤ光によって励起され、第１の青色の波長より長い、第２の波長を主波長とする光を発する蛍光体から成る白色ＬＥＤパッケージ１１０と、第２の波長よりも長い第３の赤色の波長を主波長とする光を発する赤色ＬＥＤパッケージ１２０と、第１のＬＥＤ光によって励起され、上１の波長と第２の波長の中間にピークを持つ、第４の波長を主波長とし発光する蛍光体１５３と、第１のＬＥＤ光によって励起され、第２の波長と第３の波長の中間にブロードなピークを持つ、第５の波長を主波長とし発光する赤色蛍光体１５４との少なくともいずれかを有する波長変換シート１５０を備えた。【選択図】図２
2011066108.tif 000002
【特許請求の範囲】
【請求項１】
青色の波長である第１の波長を主波長とする青色光を発する青色ＬＥＤ（Ｌｉｇｈｔ  Ｅｍｉｔｔｉｎｇ  Ｄｉｏｄｅ）と、前記青色光によって励起されることにより前記第１の波長よりも長い第２の波長を主波長とすると共に前記青色光と補色関係にある光を発する第１の蛍光体を有する蛍光体含有部とを備えた白色ＬＥＤパッケージと、
前記第１の蛍光体の発する前記第２の波長の光よりも長い赤色の波長である第３の波長を主波長とする赤色光を発する赤色ＬＥＤがパッケージされた赤色ＬＥＤパッケージと、
前記青色光によって励起されることにより前記第１の波長と前記第２の波長との中間の波長領域にスペクトル強度のピークを持つ第４の波長を主波長とする光を発する第２の蛍光体と、前記青色ＬＥＤの発する前記青色光によって励起されることにより前記第２の波長と前記第３の波長との中間の波長領域にブロードなスペクトル強度のピークを持つ第５の波長を主波長とする光を発する第３の蛍光体との、少なくともいずれかの蛍光体を有する波長変換部材と
を備えたことを特徴とする発光装置。
【請求項２】
前記発光装置は、さらに、
前記白色ＬＥＤパッケージと前記赤色ＬＥＤパッケージとが配置される基板と、
反射面が前記白色ＬＥＤパッケージと前記赤色ＬＥＤパッケージと前記波長変換部材とを囲むと共に前記基板に対して壁面状に起立するように配置されたリフレクタと
を備えたことを特徴とする請求項１記載の発光装置。
【請求項３】
前記第１の波長成分は、
前記第２の波長成分よりも、スペクトル強度が強いことを特徴とする請求項１または２のいずれかに記載の発光装置。
【請求項４】
前記白色ＬＥＤパッケージと前記赤色ＬＥＤパッケージとは、
壁面状の前記反射面に対して同等の位置に配置されたことを特徴とする請求項２または３のいずれかに記載の発光装置。
【請求項５】
前記発光装置は、
複数の前記白色ＬＥＤパッケージと、複数の前記赤色ＬＥＤパッケージとを備え、
前記複数の白色ＬＥＤパッケージはライン状に配置されると共に、前記複数の赤色ＬＥＤパッケージはライン状に配置されることを特徴とする請求項２〜４のいずれかに記載の発光装置。
【請求項６】
前記発光装置は、
複数の前記白色ＬＥＤパッケージと複数の前記赤色ＬＥＤパッケージとを備え、
複数の前記白色ＬＥＤパッケージと複数の前記赤色ＬＥＤパッケージとは、
前記基板上における右左方向には前記赤色ＬＥＤパッケージと前記白色ＬＥＤパッケージとが互い違いに配置されると共に、前記左右方向に対して直角方向となる前記基板上における上下方向には前記赤色ＬＥＤパッケージと前記白色ＬＥＤパッケージとが互い違いに配置されたことを特徴とする請求項２〜４のいずれかに記載の発光装置。
【請求項７】
前記白色ＬＥＤパッケージは、
前記青色ＬＥＤと前記蛍光体含有部とを収納する収納パッケージであって、前記青色ＬＥＤの発する光と前記蛍光体含有部の前記第１の蛍光体の発する光とを通過させる開口部の形成された収納パッケージを備え、
前記波長変換部材は、
前記収納パッケージの前記開口部を塞ぐように前記開口部に貼付されるたことを特徴とする請求項２〜６のいずれかに記載の発光装置。
【請求項８】
前記リフレクタは、
壁面状の前記反射面と底部とからなる凹形状に形成され、前記底部に前記白色ＬＥＤパッケージと前記赤色ＬＥＤパッケージとを収納する穴が前記白色ＬＥＤパッケージ及び前記赤色ＬＥＤパッケージごとに形成され、
前記白色ＬＥＤパッケージの前記収納パッケージは、
前記開口部が前記穴に対して上方側となる前記底部側に位置するように前記穴に収納され、
前記波長変換部材は、
前記収納パッケージの前記開口部と前記穴とを塞ぐように前記開口部と前記底部にわたって貼付されることを特徴とする請求項７記載の発光装置。
【請求項９】
請求項１〜８のいずれかに記載の発光装置を備えた照明装置。
【発明の詳細な説明】
【技術分野】
【０００１】
この発明は、発光ダイオード（ＬＥＤ：Ｌｉｇｈｔ  Ｅｍｉｔｔｉｎｇ  Ｄｉｏｄｅ）を使用した発光装置に関するものである。
【背景技術】
【０００２】
従来の白色ＬＥＤパッケージの一般的な構成では、近紫外〜青色の短波長光を発する単一種ＬＥＤとし、短波長光源光を励起光として、黄色〜橙色の異なる分光強度分布の光に変換する波長変換材料を用いたものが、広く用いられている。
このような方式による白色ＬＥＤパッケージは、演色性が低く、また、発光色の色温度を赤味の強い方向の５０００Ｋ（ケルビン）以下にしようとすると、発光効率が悪くなる。
そのため、青色ＬＥＤ光と赤色ＬＥＤ光と、青色光で励起し緑色〜黄色の光を発光する蛍光体から成る構成により、色温度を下げ、演色性を高め、発光効率を高める技術がある。この様な構成のＬＥＤパッケージでは、演色性を高める目的でブロードなスペクトルを得るために、複数個の赤色ＬＥＤを用いる（例えば、特許文献１参照。）。
また、このような技術を照明装置に用いる場合、白色ＬＥＤパッケージが発する光と赤色ＬＥＤパッケージが発する光を混色することにより、色温度を下げ、高発光効率で演色性の高い光源を得る技術もある（例えば、特許文献２参照。）。
【先行技術文献】
【特許文献】
【０００３】
【特許文献１】特開２００９−０６５１３７号公報
【特許文献２】特開２００３−２９８１１８号公報
【発明の概要】
【発明が解決しようとする課題】
【０００４】
特許文献１の方法では、演色性を高めるために、赤色ＬＥＤが複数個必要である。同じ電流値を流した場合、赤色ＬＥＤの光束値は、青色ＬＥＤの光束値よりも低いため（赤色ＬＥＤは発光効率が悪い）、低色温度の光源を得るためには、定格駆動の赤色ＬＥＤ光に対して、青色ＬＥＤ光の電流値を定格駆動電流値よりも下げる必要がある。また、赤色ＬＥＤが複数個となると、ＬＥＤパッケージを照明装置に用いた場合、回路の配線数が増え、ＬＥＤはチップごとに所定光束を得るための電流値にバラツキを有するため、回路の効率は落ちる。また、ＬＥＤパッケージを照明装置として用いる場合、照明装置が発する光は、黒体軌跡からの偏差（ｄｕｖ）が小さい色度座標を有することが望まれる。
特許文献２では、白色ＬＥＤパッケージが発する光と、赤色ＬＥＤパッケージが発する光とを混色すると、通常白色ＬＥＤパッケージは黒体軌跡からの偏差が小さい色度座標を有するため、黒体軌跡からの偏差が大きくなる方向に色調が変わる。
【０００５】
この発明は、白色ＬＥＤパッケージを用いた発光装置において、演色性が高く、発光効率が高く、かつ黒体軌跡からの偏差の小さい、５０００Ｋ以下の低色温度の光源の提供を目的とする。
【課題を解決するための手段】
【０００６】
この発明の発光装置は、
青色の波長である第１の波長を主波長とする青色光を発する青色ＬＥＤ（Ｌｉｇｈｔ  Ｅｍｉｔｔｉｎｇ  Ｄｉｏｄｅ）と、前記青色光によって励起されることにより前記第１の波長よりも長い第２の波長を主波長とすると共に前記青色光と補色関係にある光を発する第１の蛍光体を有する蛍光体含有部とを備えた白色ＬＥＤパッケージと、
前記第１の蛍光体の発する前記第２の波長よりも長い赤色の波長である第３の波長を主波長とする赤色光を発する赤色ＬＥＤがパッケージされた赤色ＬＥＤパッケージと、
前記青色光によって励起されることにより前記第１の波長と第２の波長との中間の波長領域にスペクトル強度のピークを持つ第４の波長を主波長とする光を発する第２の蛍光体と、前記青色ＬＥＤの発する前記青色光によって励起されることにより前記第２の波長と前記第３の波長との中間の波長領域にブロードなスペクトル強度のピークを持つ第５の波長を主波長とする光を発する第３の蛍光体との、少なくともいずれかの蛍光体を有する波長変換部材と
を備えたことを特徴とする。
【発明の効果】
【０００７】
この発明の発光装置によれば、白色ＬＥＤパッケージの発する光が、波長変換部材を透過することにより、第１の青色の波長成分を低く抑え、そのエネルギーを、発光効率を高める効果のある波長成分へと変換する。これにより、黒体軌跡からの偏差が小さく、演色性が高く、かつ発光効率が高い、低色温度の光源を得ることができる。
【図面の簡単な説明】
【０００８】
【図１】実施の形態１における発光装置１００の平面図。
【図２】実施の形態１における発光装置１００のＡ−Ａ断面図。
【図３】実施の形態１における発光装置１００のＢ−Ｂ断面図。
【図４】実施の形態１における白色ＬＥＤパッケージ１１０の側面断面図。
【図５】実施の形態１における赤色ＬＥＤパッケージ１２０の側面断面図。
【図６】実施の形態１における蛍光体１５３を加えた場合の発光スペクトルを示す図。
【図７】実施の形態１における赤色蛍光体１５４を加えた場合の発光スペクトルを示す図。
【図８】実施の形態１における発光装置１００の別のＬＥＤ配置例を示す図。
【図９】実施の形態１における発光装置１００のさらに別のＬＥＤ配置例を示す図。
【図１０】実施の形態２における発光装置１００の平面図。
【図１１】実施の形態２における発光装置１００のＡ−Ａ断面図。
【図１２】実施の形態２における発光装置１００のＢ−Ｂ断面図。
【発明を実施するための形態】
【０００９】
実施の形態１．
以下の実施の形態の説明では、第１の波長〜第５の波長が登場する。これらの波長と、その波長の光を発するＬＥＤあるいは蛍光体との関係を下記に示しておく。
（１）第１の波長：青色ＬＥＤ１１２、
（２）第２の波長：蛍光体含有樹脂層１１３の蛍光体（第１の蛍光体）、
（３）第３の波長：赤色ＬＥＤ１２１、
（４）第４の波長：蛍光体１５３（第２の蛍光体）、
（５）第５の波長：赤色蛍光体１５４（第３の蛍光体）
【００１０】
（発光装置１００の構成）
図１〜図３は、実施の形態１における発光装置１００の平面図（図１）、Ａ−Ａ断面図（図２）、Ｂ−Ｂ断面図（図３）である。図１〜図３に示すように、発光装置１００は、白色ＬＥＤパッケージ１１０と、赤色ＬＥＤパッケージ１２０と、ＬＥＤパッケージを実装する基板１３０と、リフレクタ１４０と、白色ＬＥＤパッケージ１１０の開口部１１５（図４に示す）を覆うように接着された波長変換シート１５０（波長変換部材）と、拡散板１６０とを有する。
【００１１】
また、図１に示すように、発光装置１００は、複数の白色ＬＥＤパッケージ１１０と、複数の赤色ＬＥＤパッケージ１２０とを備える。そして、複数の白色ＬＥＤパッケージ１１０はライン状（一列）に配置されると共に、複数の赤色ＬＥＤパッケージ１２０もライン状（１列）に配置されている。
【００１２】
（白色ＬＥＤパッケージ１１０）
図４は白色ＬＥＤパッケージ１１０の構成を示す。白色ＬＥＤパッケージ１１０は、青色ＬＥＤ１１２と蛍光体含有樹脂層１１３（蛍光体含有部）とを収納するパッケージ１１４（収納パッケージ）を備えている。パッケージ１１４は、青色ＬＥＤ１１２の発する光と蛍光体含有樹脂層１１３の蛍光体の発する光とを通過させる開口部１１５が形成されている。この開口部１１５に波長変換シート１５０がパッケージ１１４の開口部１１５を塞ぐようにパッケージ１１４に接着剤１５１で貼付されている。
【００１３】
このように白色ＬＥＤパッケージ１１０では、パッケージ１１４内の凹部であるＬＥＤ実装部１１１内に、青色ＬＥＤ１１２と、それを覆うように透過性の高い蛍光体含有樹脂層１１３とが設けられている。そして波長変換シート１５０が、蛍光体含有樹脂層１１３の上部に透過性の高い接着剤１５１により固定されて取り付けられている。パッケージ１１４は、例えばセラミックス、樹脂、金属などで形成されている。
【００１４】
（青色ＬＥＤ１１２）
青色ＬＥＤ１１２は、図示していない金線ワイヤにより、パッケージ１１４に設けられた電極部に電気的に接続されており、電極から供給される電力により青色光（第１の波長）を発光する。
【００１５】
（蛍光体含有樹脂層１１３）
蛍光体含有樹脂層１１３に混入される蛍光体（第１の蛍光体）は、例えばＹＡＧ（イットリウム  アルミニウム  ガーネット）蛍光体である。この蛍光体は、青色ＬＥＤ１１２が発する光により励起されて光を発する。この光は、４８０〜７８０ｎｍの間にスペクトル幅を持ち、５６０ｎｍ付近（第２の波長）を主波長とする光を発する。この第１の波長を持つ光（青色ＬＥＤ１１２の光）と第２の波長を持つ光（蛍光体含有樹脂層１１３の蛍光体の光）との合成光は補色関係にあるため、擬似的に白色を呈する。
【００１６】
青色ＬＥＤ１１２の発する青色光は、４４０ｎｍ〜４６０ｎｍ（第１の波長）にピークをもつスペクトルを有し、蛍光体含有樹脂層１１３の発する光（第２の波長）の強度よりも、この青色ＬＥＤ１１２の発する光のスペクトル強度の方が強い。そのため、低色温度な光においても発光効率を高める効果がある。
【００１７】
（蛍光体含有樹脂層１１３の素材）
蛍光体含有樹脂層１１３の素材は、エポキシ樹脂やシリコーン樹脂である。ＬＥＤ素子は熱によって光束が低下するため、耐熱性、耐薬品性、自己潤滑性、耐摩擦性に優れ、エポキシ樹脂と比較しても非常に安定しているシリコーン樹脂を用いることが好ましい。
【００１８】
（波長変換シート１５０の素材）
また、波長変換シート１５０と、接着剤１５１の素材は、波長変換シート１５０を接着する白色ＬＥＤパッケージ１１０の蛍光体含有樹脂層１１３と同等の材料であることが好ましい。材料による屈折率差を抑えることにより、発光効率を高める効果がある。
【００１９】
（赤色ＬＥＤパッケージ１２０）
図５に示す赤色ＬＥＤパッケージ１２０は、ＬＥＤ実装部１１１に実装される赤色ＬＥＤ１２１と、それを覆うように透過性の高い透明な封止樹脂層１２２で構成される。この赤色ＬＥＤ１２１は、６００ｎｍ〜６４０ｎｍ（第３の波長）にピークとなる主波長を持つとする。このことにより、演色評価数Ｒａ、特殊演色評価数Ｒ９を高める効果がある。
【００２０】
（基板１３０）
基板１３０は、白色ＬＥＤパッケージ１１０及び赤色ＬＥＤパッケージ１２０を点灯するための回路パターンが印刷されており、白色ＬＥＤパッケージ１１０及び赤色ＬＥＤパッケージ１２０が実装されている。基板１３０の基材は、例えば、アルミニウム、紙フェノール、ガラスエポキシなどであり、白色ＬＥＤパッケージ１１０及び赤色ＬＥＤパッケージ１２０で発生する熱を逃がすために、アルミニウムなど熱伝導性の高い素材を用いると、ＬＥＤパッケージの熱による光束低下を防ぐ効果があり、好ましい。
【００２１】
（リフレクタ１４０）
リフレクタ１４０は、図２、図３の断面に示すように、反射面１４１が白色ＬＥＤパッケージ１１０と赤色ＬＥＤパッケージ１２０と波長変換シート１５０とを囲むと共に基板１３０に対して壁面状に起立するように配置されている。
このリフレクタ１４０は、例えば円錐形状をしており、反射面１４１は放物面、楕円面、または双曲面であり、基板１３０上の白色ＬＥＤパッケージ１１０及び赤色ＬＥＤパッケージ１２０を二灯一組とした位置に、長方形の穴が開いている。リフレクタ１４０は、高反射ポリカーボネイト樹脂で形成されており、白色ＬＥＤパッケージ１１０及び赤色ＬＥＤパッケージ１２０が発する光を拡散反射し、混色性を高める効果がある。
【００２２】
（波長変換シート１５０：蛍光体１５３）
図４に示すように、波長変換シート１５０は、蛍光体１５３（第２の蛍光体）が、透明樹脂１５２によってバインドされた構成となっている。蛍光体１５３は、白色ＬＥＤパッケージ１１０の発する光の青色光を吸収し、青色よりも長い波長域かつ、蛍光体含有樹脂層１１３の発する光よりも短い波長域に主波長（第４の波長）を持つ光を発する。低色温度において過剰な青色の波長成分を低く抑え、緑色の領域で発光する蛍光体１５３を用いることにより、発光効率を高める効果がある（５５５ｎｍにおいて６８３ｌｍ／Ｗのピークを示す比視感度曲線には、緑色の波長域のスペクトルが多く含まれるためである。）。
【００２３】
（赤色蛍光体１５４）
また、蛍光体１５３に加えて、蛍光体含有樹脂層１１３の発する光よりも長く、赤色ＬＥＤパッケージの発する光よりも短い波長域（第５の波長）に主波長を持つ光を発する赤色蛍光体１５４（第３の蛍光体）を加えると、より演色性を高める効果があり、好ましい。赤色蛍光体１５４は、ユーロピウム付活アルカリ土類窒化物蛍光体を用いる。通常赤色蛍光体は青色よりも長い波長域にも励起スペクトルを持ち、発光効率が低下してしまうが、この蛍光体は耐水性が高く、温度消光が小さく、光劣化を受けにくいという特性を持ち、演色性を高め発光効率の低下を抑える効果がある。
【００２４】
なお、波長変換シート１５０には、蛍光体１５３と赤色蛍光体１５４との両方を加えてもよいし、いずれか一方を加えてもよい。
【００２５】
また、波長変換シート１５０を接着剤１５１によって白色ＬＥＤパッケージ１１０の開口部に貼り付ける構成とすることにより、不点灯時においても波長変換シート１５０に用いられる蛍光体の色が目立たないという意匠面での効果がある。
【００２６】
（拡散板１６０の素材）
拡散板１６０に用いられる素材は、乳半色のアクリル板であり、二枚のガラスの間に液体モノマーを注入して形成される。本発明での第１〜第５の波長の光の混色性を高める効果がある。
【００２７】
（蛍光体１５３を用いた場合の発光スペクトル）
図６はこの発明における、蛍光体１５３を用いた場合の発光スペクトル図である。横軸は波長をあらわし、縦軸はスペクトル強度を表す。また「λ１」は第１の波長を示しており、他も同様である。
（１）スペクトル曲線２１１は白色ＬＥＤパッケージ１１０の発光スペクトル特性を表し、凸形状の左から順に、第１の波長（λ１）、第２の波長（λ２）となっている。
（２）スペクトル曲線２１２は、赤色ＬＥＤ１２０の発光スペクトルである第３の波長（λ３）を表し、６１５ｎｍ付近にピークを持つ。
（３）スペクトル曲線２１３は白色ＬＥＤパッケージ１１０と赤色ＬＥＤパッケージ１２０の合成光スペクトルを表す。
（４）スペクトル曲線２１４は、蛍光体１５３による発光特性を表し、第１の波長成分を吸収して、第４の波長成分（λ４）の発光スペクトルを持つ。
（５）これらの発光スペクトルは、可視光領域においてブロードなスペクトルを持つため、低色温度において演色性が高く、発光効率が高く、黒体軌跡からの偏差の小さくする効果がある。
【００２８】
（赤色蛍光体１５４を用いた場合の発光スペクトル）
図７はこの発明における、赤色蛍光体１５４を用いた場合の発光スペクトル図である。以下の点を除いて図６と同等である。
（１）スペクトル曲線３１１は、赤色ＬＥＤ１２０の発光スペクトルである第３の波長を表し、６３０ｎｍ付近にピークを持つ。図６の赤色ＬＥＤよりも長波長側の赤色ＬＥＤを用いた。
（２）スペクトル曲線３１２は、白色ＬＥＤパッケージ１１０と赤色ＬＥＤパッケージ１２０の合成スペクトルを表す。
（３）スペクトル曲線３１３は、赤色蛍光体１５４による発光特性を表し、第１の波長成分を吸収して、第５の波長成分（λ５）の発光スペクトルを持つ。
図６に比べて長波長側に赤色のピークがあることにより、平均演色評価数Ｒａに加えて、赤色を評価する指標の特殊演色評価数Ｒ９の値を高める効果がある。
【００２９】
次に、以下ではＬＥＤの配置構成について説明する。
【００３０】
（ＬＥＤパッケージの配置）
図１では白色ＬＥＤパッケージ１１０及び赤色ＬＥＤパッケージ１２０の配置は、それぞれラインモジュール長手方向に対して一列に並んでいるが、図８のように、白色ＬＥＤパッケージ１１０と、赤色ＬＥＤパッケージ１２０のリフレクタの壁面に対する距離が、ＸＹ方向、ＺＷ方向で均等となるように配置してもよい。図８は、図１と同様の平面図であるが、波長変換シート１５０は省略している。後述の図９も同様である。壁面からの距離を同等にすることにより、混色性を高める効果がある。このように、リフレクタ１４０の説明でも述べたように、白色ＬＥＤパッケージ１１０と赤色ＬＥＤパッケージ１２０とは、図８〜図１０に示すように、壁面状の反射面１４１に対して均等（同等）の位置に配置されている。
【００３１】
また、図９のように、「千鳥格子状」に配置してもよい。通常、白色ＬＥＤパッケージ１１０と赤色ＬＥＤパッケージ１２０との配光特性は異なり、逆方向にピークを持つ配光特性となる。このため、４灯１組で見たときに均等な配光特性となるように千鳥格子状に配置することで、混色性を高める効果がある。図９のように、複数の白色ＬＥＤパッケージ１１０と複数の赤色ＬＥＤパッケージ１２０とは、基板１３０上における右左方向（Ｅ方向）には赤色ＬＥＤパッケージ１２０と白色ＬＥＤパッケージ１１０とが互い違いに配置されると共に、左右方向に対して直角方向となる基板１３０上における上下方向（Ｆ方向）には赤色ＬＥＤパッケージ１２０と白色ＬＥＤパッケージ１１０とが互い違いに配置されて、いわゆる千鳥格子状の配置を形成する。
【００３２】
実施の形態１の発光装置１００によれば、白色ＬＥＤパッケージ１１０の発する光が波長変換シート１５０を透過することにより、第１の青色の波長成分を低く抑え、そのエネルギーを、発光効率を高める効果のある波長成分へと変換する。そのことにより、黒体軌跡からの偏差が小さく、演色性が高く、かつ発光効率が高い、低色温度の光源を得ることができる。
【００３３】
実施の形態２．
図１０〜図１２を参照して実施の形態２の発光装置１００を説明する。実施の形態２の発光装置１００は、白色ＬＥＤパッケージ１１０と赤色ＬＥＤパッケージ１２０とをリフレクタ１４０の底部１４２に設けた穴に収納し、白色ＬＥＤパッケージ１１０のパッケージ１１４の開口部１１５及び白色ＬＥＤパッケージ１１０を収納する穴を波長変換シート１５０で覆うことにより塞ぐ構成である。
【００３４】
以上の実施の形態１では、波長変換シート１５０を白色ＬＥＤパッケージ１１０に接着剤により貼り付ける構成としたものであるが、次にリフレクタ１４０の底面の白色ＬＥＤパッケージ１１０の上部のみ、波長変換シート１５０を接着し取り付けた形態について、図１０〜図１２を用いて説明する。実施の形態２の構成によれば、白色ＬＥＤパッケージ１１０へ波長変換シート１５０を貼付する際の作業効率が向上する。なお、実施の形態１と共通する部分については、同一の符号を示し、説明を省略する。
【００３５】
図１０は、この実施の形態２における発光装置１００の構造を示す平面図であり、図１１は図１０のＢ−Ｂ断面図、図１２は図１０のＡ−Ａ断面図である。
【００３６】
図１１、図１２に示すように、リフレクタ１４０は、壁面状の反射面１４１と底部１４２とからなる凹形状に形成されている。底部１４２には白色ＬＥＤパッケージ１１０と赤色ＬＥＤパッケージ１２０とを収納する穴１４３、１４４が白色ＬＥＤパッケージ１１０及び赤色ＬＥＤパッケージ１２０ごとに形成されている。白色ＬＥＤパッケージ１１０のパッケージ１１４は、開口部１１５が穴１４３に対して上方側となる底部側に位置するように穴１４３に収納されている。波長変換シート１５０は、パッケージ１１４の開口部１１５と穴１４３とを塞ぐように開口部１１５と底部１４２にわたって貼付される。
【００３７】
図１１に示すように、発光装置１００は、白色ＬＥＤパッケージ１１０と、赤色ＬＥＤパッケージ１２０と、ＬＥＤパッケージを実装する基板１３０と、白色ＬＥＤパッケージ１１０及び赤色ＬＥＤパッケージ１２０に対応する部分に穴が開き、白色ＬＥＤパッケージ１１０開口部に対応する部分に波長変換シート１５０が接着し貼り付けてあるリフレクタ１４０と、拡散板１６０とを備えている。
【００３８】
リフレクタ１４０は、例えば円錐形状をしており、基板１３０上の白色ＬＥＤパッケージ１１０及び赤色ＬＥＤパッケージ１２０に対応した部分に、穴が開いている。反射面１４１は放物面、楕円面、または双曲面であり、リフレクタ１４０は、高反射ポリカーボネイト樹脂で形成されており、白色ＬＥＤパッケージ１１０及び赤色ＬＥＤパッケージ１２０が発する光を拡散反射し、混色性を高める効果がある。
【００３９】
（照明装置）
なお、以上の実施の形態１、２ではＬＥＤの発光装置１００を説明したが、これらの発光装置を備えた照明装置の実施形態も可能である。すなわち、発光装置１００によるラインモジュールを用いた照明装置などが考えられる。
【符号の説明】
【００４０】
１００  発光装置、１１０  白色ＬＥＤパッケージ、１１１  ＬＥＤ実装部、１１２  青色ＬＥＤ、１１３  蛍光体含有樹脂層、１１４  パッケージ、１１５  開口部、１２０  赤色ＬＥＤパッケージ、１２１  赤色ＬＥＤ、１２２  封止樹脂層、１３０  基板、１４０  リフレクタ、１４１  反射面、１４２  底部、１４３，１４４  穴、１５０  波長変換シート、１５１  接着剤、１５２  透明樹脂、１５３  蛍光体、１５４  赤色蛍光体、１６０  拡散板、２１１〜２１４，３１１〜３１３  スペクトル曲線。
【図１】
2011066108.tif 000003
【図２】
2011066108.tif 000004
【図３】
2011066108.tif 000005
【図４】
2011066108.tif 000006
【図５】
2011066108.tif 000007
【図６】
2011066108.tif 000008
【図７】
2011066108.tif 000009
【図８】
2011066108.tif 000010
【図９】
2011066108.tif 000011
【図１０】
2011066108.tif 000012
【図１１】
2011066108.tif 000013
【図１２】
2011066108.tif 000014